(57)【特許請求の範囲】
【請求項１】
インターネットを含むネットワークを通じてインターネット電話通信を実行するＩＰ電話機と、ＵＳＢインターフェースを備えたＵＳＢハンドセットとを有し、
前記ＵＳＢハンドセットは、前記ＵＳＢインターフェースを介してＵＳＢ上位機器に接続されたときにＵＳＢ上位機器のＨＩＤとして機能可能な送受話部およびキーパッドとを備え、
前記ＩＰ電話機は、ＵＳＢインターフェースを備え、かつ、該ＵＳＢインターフェースを介して接続された前記ＵＳＢハンドセットを前記ネットワーク上で識別するための、ＵＳＢハンドセット用のＭＡＣアドレスを予め記憶していると共に、ＵＳＢハンドセット用のＩＰアドレスを前記ネットワークから取得して更新可能に記憶し、
前ＩＰ記電話機は、前記ＵＳＢインターフェースを介して前記ＵＳＢハンドセットが接続されると、該ＵＳＢハンドセットに対して前記ＭＡＣアドレスおよび最新の前記ＩＰアドレスを供給し、
前記ＵＳＢハンドセットは、前記ＩＰ電話機から受け取った前記ＭＡＣアドレスおよび前記ＩＰアドレスに基づいて、前記ＩＰ電話機とは独立して、該ＩＰ電話機および前記ネットワークを通じてインターネット電話通信を実行することを特徴とする電話システム。
【請求項２】
前記ＩＰ電話機は、インターネット電話通信を休止中も、前記ＵＳＢインターフェースを介して前記ＵＳＢハンドセットが接続されると、該ＵＳＢハンドセットに対し、前記ＭＡＣアドレスおよび最新の前記ＩＰアドレスを供給すると共に、該ＵＳＢハンドセットの前記ネットワークへの接続を許すように構成されている請求項１に記載の電話システム。
【請求項３】
前記ネットワークは、前記インターネットに接続されたＬＡＮを含む請求項１または２に記載の電話システム。
【請求項４】
前記ＩＰ電話機は、前記ＵＳＢハンドセット用のオペレーティングシステムを予め記憶しており、前記ＵＳＢインターフェースを介して前記ＵＳＢハンドセットが接続されると、該ＵＳＢハンドセットに対して前記オペレーティングシステムを供給し、
前記ＵＳＢハンドセットは、前記ＩＰ電話機から受け取った前記オペレーティングシステムをインストールし、かつ、該オペレーティングシステムに基づいて、前記ＩＰ電話機とは独立して、該ＩＰ電話機および前記ネットワークを通じてインターネット電話通信を実行する請求項１乃至３のいずれか一項に記載の電話システム。
【請求項５】
前記ＵＳＢハンドセットのＨＩＤとしての送受話部を備えたヘッドセットをさらに有し、該ヘッドセットは、前記ＵＳＢハンドセットに対して有線または無線で接続される請求項１乃至４のいずれか一項に記載の電話システム。
【請求項６】
前記ヘッドセットは、前記ＵＳＢハンドセットのＨＩＤとして、キーパッドをさらに備えている請求項５に記載の電話システム。
【請求項７】
インターネットを含むネットワークを通じてインターネット電話通信を実行するＩＰ電話機であって、
ＵＳＢインターフェースを備え、かつ、該ＵＳＢインターフェースを介して接続されたＵＳＢハンドセットを前記ネットワーク上で識別するための、ＵＳＢハンドセット用のＭＡＣアドレスを予め記憶していると共に、ＵＳＢハンドセット用のＩＰアドレスを前記ネットワークから取得して更新可能に記憶し、
前記ＵＳＢインターフェースを介して前記ＵＳＢハンドセットが接続されると、該ＵＳＢハンドセットに対して前記ＭＡＣアドレスおよび最新の前記ＩＰアドレスを供給することを特徴とするＩＰ電話機。
【発明の詳細な説明】
【技術分野】
【０００１】
本発明は、インターネットを含むネットワークを通じてインターネット電話通信を実行するＩＰ電話機と、ＵＳＢ上位機器のＨＩＤとして機能可能な送受話部およびキーパッドとを備えたＵＳＢハンドセットとを有する電話システムに関する。
【背景技術】
【０００２】
この種のＵＳＢ（Universal Serial Bus）ハンドセットは、Ｓｋｙｐｅ（登録商標）などのＩＰ（Internet Protocol）電話サービスを享受する際に、ＵＳＢインターフェースを介して接続されるパーソナルコンピュータと共に用いられることが多い。
【０００３】
一般に、ＵＳＢハンドセットは、パーソナルコンピュータに接続するためのＵＳＢインターフェースを備えていると共に、ＨＩＤ（Human Interface Device）として、送受話部（マイクロフォンとスピーカ）と、キーパッド（オンフックボタン、オフフックボタンおよびテンキー等）とを備えている。さらにディスプレイや、テレビ電話用のカメラをＨＩＤとして備えたＵＳＢハンドセットもある。ＵＳＢハンドセットの電源については、通常、ＵＳＢインターフェースを介してパーソナルコンピュータから供給される。
【０００４】
尚、ＵＳＢハンドセットは、ユーザがインターネット電話通信をする際に用いられるものであり、しかも、固定電話機の子機、携帯電話機あるいはスマートフォンに似た外形を呈しているため、ＵＳＢ電話機とも呼ばれる。
【０００５】
図１を参照すると、本発明の関連技術によるＵＳＢハンドセット６００は、例えば携帯電話機に似た外形であり、パーソナルコンピュータ７００に接続するためのＵＳＢインターフェースを備えていると共に、ＨＩＤとして、マイクロフォン６０２およびスピーカ６０３から成る送受話部と、オンフックボタン、オフフックボタン、テンキーおよびカーソルキー等を含むキーパッド１０４と、ディスプレイ１０５とを備えている。電源は、ＵＳＢインターフェースを介してパーソナルコンピュータ７００から供給される。
【０００６】
ＵＳＢハンドセット６００は、ＩＰ電話サービス等を享受する際に、次のようにして利用される。まず、ＵＳＢハンドセット６００が、ＵＳＢインターフェースを介してパーソナルコンピュータ７００に接続される。次に、パーソナルコンピュータ７００によってＩＰ電話サービス等を利用するためのアプリケーションソフトウェアと、パーソナルコンピュータ７００がＵＳＢハンドセット６００をＨＩＤとして利用するためのドライバが、パーソナルコンピュータ７００にインストールされる。尚、ドライバおよびアプリケーションソフトウエアは、パーソナルコンピュータ７００に予めインストールされていてもよい。その後、専用のアプリケーションソフトウェアの環境下でＵＳＢハンドセット６００を用いてパーソナルコンピュータ７００にネットワークを介して接続された通話相手との間でＩＰインターネット電話通信がなされる。
【０００７】
図１に示されたものの他にも、ＵＳＢハンドセットの類は、例えば特許文献１、２に開示されている。これらＵＳＢハンドセットは、図１に示されたものと同様に、ＵＳＢインターフェースを介して接続されたパーソナルコンピュータと協働してインターネット電話通信、特に、ＬＡＮ（Local Area Network）およびインターネットを通じてＩＰインターネット電話通信を実行するものである。ただし、特許文献１、２に開示されたＵＳＢハンドセットは、パーソナルコンピュータの不具合時やＬＡＮやインターネットの障害時に備え、単独でアナログ電話回線に接続して単独でアナログ電話通信を実行できるように、アナログ電話機部を備えている。
【０００８】
また、パーソナルコンピュータを必要とせずに、単体でインターネットを含むネットワークを通じてインターネット電話通信を実行するＩＰ電話機も、既に実用化されている。
【先行技術文献】
【特許文献】
【０００９】
【特許文献１】特開２００５−２０８７０４号公報
【特許文献２】特開２００９−１５７５７０号公報
【発明の概要】
【発明が解決しようとする課題】
【００１０】
しかし、図１に示されたようなＵＳＢハンドセットは、ＵＳＢインターフェースを介して接続されたパーソナルコンピュータと協働することによって初めて電話機としてネットワークを通じてインターネット電話通信を実行するものである。つまり、通常の電話機が備えているものと同等のＨＩＤを備え、また、ＵＳＢ電話機と呼ばれることがあるものの、実際は、ＵＳＢハンドセット単体ではインターネット電話通信を実行することができない。
【００１１】
尚、特許文献１、２に開示されたＵＳＢハンドセットは、ＵＳＢハンドセット単体であっても、インターネット電話通信を実行することができる。しかし、これらＵＳＢハンドセットが単独で実行できる電話通信は、アナログ電話回線を利用したアナログ電話通信であり、ＩＰインターネット電話通信を実行することはできない。
【００１２】
それ故、パーソナルコンピュータを用いずにＵＳＢハンドセット単体でインターネット電話通信を実行することができる電話システムを提供することである。
【課題を解決するための手段】
【００１３】
本発明によれば、インターネットを含むネットワークを通じてインターネット電話通信を実行するＩＰ電話機と、ＵＳＢインターフェースを備えたＵＳＢハンドセットとを有し、前記ＵＳＢハンドセットは、前記ＵＳＢインターフェースを介してＵＳＢ上位機器に接続されたときにＵＳＢ上位機器のＨＩＤとして機能可能な送受話部およびキーパッドとを備え、前記ＩＰ電話機は、ＵＳＢインターフェースを備え、かつ、該ＵＳＢインターフェースを介して接続された前記ＵＳＢハンドセットを前記ネットワーク上で識別するための、ＵＳＢハンドセット用のＭＡＣアドレスを予め記憶していると共に、ＵＳＢハンドセット用のＩＰアドレスを前記ネットワークから取得して更新可能に記憶し、前ＩＰ記電話機は、前記ＵＳＢインターフェースを介して前記ＵＳＢハンドセットが接続されると、該ＵＳＢハンドセットに対して前記ＭＡＣアドレスおよび最新の前記ＩＰアドレスを供給し、前記ＵＳＢハンドセットは、前記ＩＰ電話機から受け取った前記ＭＡＣアドレスおよび前記ＩＰアドレスに基づいて、前記ＩＰ電話機とは独立して、該ＩＰ電話機および前記ネットワークを通じてインターネット電話通信を実行することを特徴とする電話システムが得られる。
【００１４】
前記ＩＰ電話機は、インターネット電話通信を休止中も、前記ＵＳＢインターフェースを介して前記ＵＳＢハンドセットが接続されると、該ＵＳＢハンドセットに対し、前記ＭＡＣアドレスおよび最新の前記ＩＰアドレスを供給すると共に、該ＵＳＢハンドセットの前記ネットワークへの接続を許すように構成されていてもよい。
【００１５】
前記ネットワークは、前記インターネットに接続されたＬＡＮを含んでいてもよい。
【００１６】
前記ＩＰ電話機は、前記ＵＳＢハンドセット用のオペレーティングシステムを予め記憶しており、前記ＵＳＢインターフェースを介して前記ＵＳＢハンドセットが接続されると、該ＵＳＢハンドセットに対して前記オペレーティングシステムを供給し、前記ＵＳＢハンドセットは、前記ＩＰ電話機から受け取った前記オペレーティングシステムをインストールし、かつ、該オペレーティングシステムに基づいて、前記ＩＰ電話機とは独立して、該ＩＰ電話機および前記ネットワークを通じてインターネット電話通信を実行するものであってもよい。
【００１７】
前記ＵＳＢハンドセットのＨＩＤとしての送受話部を備えたヘッドセットをさらに有し、該ヘッドセットは、前記ＵＳＢハンドセットに対して有線または無線で接続されてもよい。尚、ヘッドセットは、前記ＵＳＢハンドセットのＨＩＤとして、キーパッドをさらに備えていてもよい。
【００１８】
また、本発明によれば、インターネットを含むネットワークを通じてインターネット電話通信を実行するＩＰ電話機であって、ＵＳＢインターフェースを備え、かつ、該ＵＳＢインターフェースを介して接続されたＵＳＢハンドセットを前記ネットワーク上で識別するための、ＵＳＢハンドセット用のＭＡＣアドレスを予め記憶していると共に、ＵＳＢハンドセット用のＩＰアドレスを前記ネットワークから取得して更新可能に記憶し、前記ＵＳＢインターフェースを介して前記ＵＳＢハンドセットが接続されると、該ＵＳＢハンドセットに対して前記ＭＡＣアドレスおよび最新の前記ＩＰアドレスを供給することを特徴とするＩＰ電話機が得られる。
【発明の効果】
【００１９】
本発明による電話システムは、パーソナルコンピュータを用いずにＵＳＢハンドセット単体でインターネット電話通信を実行することができる。
【００２０】
より具体的には、ＵＳＢハンドセットをＩＰ電話機に接続するため、パーソナルコンピュータが不要になる。
【００２１】
また、１つの回線でＩＰ電話機とＵＳＢハンドセットとの２台の電話機として利用でき、それぞれのインターネット電話通信を別パケットで送受信することにより、２台を同時に使用することも可能である。
【図面の簡単な説明】
【００２２】
【図１】本発明の関連技術によるＵＳＢハンドセットの使用例を示す概念図である。
【図２】本発明の実施例１の電話システムを示す概念図である。
【図３】図２に示された電話システムの動作を説明するためのフロー図である。
【図４】本発明の実施例２の電話システムを示す概念図である。
【発明を実施するための形態】
【００２３】
本発明による電話システムは、インターネットを含むネットワークを通じてインターネット電話通信を実行するＩＰ電話機と、ＵＳＢインターフェースを備えたＵＳＢハンドセットとを有している。ＵＳＢハンドセットは、ＵＳＢインターフェースを介してパーソナルコンピュータ等のＵＳＢ上位機器に接続されたときにＵＳＢ上位機器のＨＩＤとして機能可能な送受話部およびキーパッドとを備えている。
【００２４】
特に、本電話システムにおいて、ＩＰ電話機は、ＵＳＢインターフェースを備え、かつ、ＵＳＢインターフェースを介して接続されたＵＳＢハンドセットをネットワーク上で識別するための、ＵＳＢハンドセット用のＭＡＣアドレスを予め記憶していると共に、ＵＳＢハンドセット用のＩＰアドレスをネットワークから取得して更新可能に記憶する。
【００２５】
そして、ＩＰ記電話機は、ＵＳＢインターフェースを介してＵＳＢハンドセットが接続されると、ＵＳＢハンドセットに対してＭＡＣアドレスおよび最新のＩＰアドレスを供給する。
【００２６】
一方、ＵＳＢハンドセットは、ＩＰ電話機から受け取ったＭＡＣアドレスおよびＩＰアドレスに基づいて、ＩＰ電話機とは独立して、ＩＰ電話機およびネットワークを通じてインターネット電話通信を実行する。
【００２７】
上記構成により、本電話システムは、パーソナルコンピュータを用いずにＵＳＢハンドセット単体でインターネット電話通信を実行することができる。
【００２８】
以下、図面を参照して、本発明による電話システムの具体的な実施例を説明する。
【実施例１】
【００２９】
図２を参照すると、本発明の実施例による電話システムは、インターネットを含むネットワークを通じてインターネット電話通信を実行するＩＰ電話機２００と、ＵＳＢインターフェース１０６を備えたＵＳＢハンドセット１００とを有している。
【００３０】
ネットワークは、インターネットに接続されたＬＡＮをも含んでおり、ＩＰ電話機２００は、このＬＡＮを介してインターネットに接続されている。
【００３１】
ＩＰ電話機２００は、マイクロフォン２０２およびスピーカ（レシーバ）２０３を備えたハンドセット部と、１０キーや短縮ダイアルボタン等のキーパッド２０４と、電話番号、ネットワークの状態、機器の状態を示す液晶ディスプレイ２０５とを備えている。
【００３２】
一方、ＵＳＢハンドセット１００は、図１に示されたＵＳＢハンドセット６００と同様に、ＵＳＢインターフェース１０６を介してパーソナルコンピュータ等のＵＳＢ上位機器に接続されたときにＵＳＢ上位機器のＨＩＤとして機能可能な、マイクロフォン１０２およびスピーカ（レシーバ）１０３と、オフフック、オンフック、１０キーやカーソルボタン等のキーパッド１０４と、電話番号、ネットワークの状態、機器の状態を示す液晶ディスプレイ１０５とを備えている。尚、ＵＳＢハンドセット１００の電源は、ＵＳＢインターフェース１０６を介して接続されたＵＳＢ上位機器から供給される。
【００３３】
特に、本電話システムにおいて、ＩＰ電話機２００は、ＵＳＢインターフェース２０６を備え、かつ、ＵＳＢインターフェース２０６を介して接続されたＵＳＢハンドセット１００をネットワーク上で識別するための、ＵＳＢハンドセット用のＭＡＣアドレスを電話機メモリ２２０に予め記憶していると共に、ＵＳＢハンドセット用のＩＰアドレスをネットワークから取得して更新可能に電話機メモリ２２０に記憶するように構成されている。さらに、ＩＰ電話機２００は、ＵＳＢハンドセット用のオペレーティングシステムをも、電話機メモリ２２０に予め記憶している。このオペレーティングシステムは、ＵＳＢハンドセット１００がＩＰ電話機として動作するためのプログラムソフトウエアである。
【００３４】
そして、ＩＰ電話機２００は、ＵＳＢインターフェース２０６を介してＵＳＢハンドセット１００が接続されると、ＵＳＢハンドセット１００に対し、ＭＡＣアドレスおよび最新のＩＰアドレスと、オペレーティングシステムとを供給する。
【００３５】
一方、ＵＳＢハンドセット１００は、ＩＰ電話機２００から受け取ったＭＡＣアドレスおよびＩＰアドレスを、ハンドセットメモリ１２０に記憶する（割り当てられる）。これと共に、ＩＰ電話機２００から受け取ったオペレーティングシステムをハンドセットメモリ１２０にインストールする。ＵＳＢハンドセット１００は、図示はしないが、ＣＰＵ（Central Processing Unit）を備えている。このＣＰＵがオペレーティングシステムにしたがって演算を実行することにより、ＵＳＢハンドセット１００は、ＭＡＣアドレスおよびＩＰアドレスを利用しつつ、ＩＰ電話機２００とは独立して、ＩＰ電話機２００およびネットワークを通じてインターネット電話通信を実行する。
【００３６】
以上の構成により、本電話システムは、ＩＰ電話機２００とＵＳＢハンドセット１００とで個別に、さらに、必要に応じて２台同時に、互いに異なる通話相手とインターネット電話通信を実行することができる。
【００３７】
尚、ＩＰ電話機２００を、インターネット電話通信を休止中も、ＵＳＢインターフェース２０６を介してＵＳＢハンドセット１００が接続されると、ＵＳＢハンドセット１００に対し、ＭＡＣアドレスおよび最新のＩＰアドレスを供給すると共に、ＵＳＢハンドセット１００のネットワークへの接続を許すように構成してもよい。
【００３８】
次に、図２および図３を参照して、本電話システムの動作を説明する。
【００３９】
ステップＳ１において、ＩＰ電話機２００は、ＵＳＢハンドセット用のオペレーティングシステム（ＯＳ）およびＭＡＣアドレスを電話機メモリ２２０に予め記憶しておく。
【００４０】
ステップＳ２において、ＩＰ電話機２００は、ＬＡＮおよびインターネットを介して定期的にＵＳＢハンドセット用のＩＰアドレスを取得し、電話機メモリ２２０に更新的に記憶する。
【００４１】
ステップＳ３において、ＩＰ電話機２００は、ＵＳＢインターフェース２０６にＵＳＢハンドセット１００が接続されたか否かを監視する。
【００４２】
ステップＳ４において、ＩＰ電話機２００は、ステップＳ３の監視の結果、ＵＳＢハンドセット１００が接続された場合には、ＵＳＢハンドセット１００に対し、ＯＳ、ＭＡＣアドレスと、最新のＩＰアドレスを送出する。
【００４３】
ステップＳ５において、ＵＳＢハンドセット１００は、ＩＰ電話機２００から受け取ったＯＳをハンドセットメモリ１０６にインストールすると共に、同じくＩＰ電話機２００から受け取ったＭＡＣアドレスと最新のＩＰアドレスをハンドセットメモリ１０６に記憶する。
【００４４】
ステップＳ６において、ＵＳＢハンドセット１００は、ＯＳにしたがって、ＭＡＣアドレスおよびＩＰアドレスを利用しつつ、ＩＰ電話機２００とは独立して、ＩＰ電話機２００およびネットワークを通じてインターネット電話通信を実行する。ＩＰ電話機の動作と同様に音声を圧縮しＲＴＰ（Real-time Transport Protocol）を使用して情報をパケットとしてネットワーク上へ送信または受信が可能となる。
【実施例２】
【００４５】
本発明の実施例２による電話システムは、ヘッドセット等をさらに有している点が、実施例１と異なっている。このため、実施例１と同一または同様の部分については、実施例１における説明および図面を援用することとし、詳細な説明は省略する。
【００４６】
図４を参照すると、本実施例の電話システムは、ＩＰ電話機２００と、ＵＳＢインターフェース３０６を備えたＵＳＢハンドセット３００と、ヘッドセット５００とを有している。
【００４７】
ネットワークは、インターネットに接続されたＬＡＮをも含んでおり、ＩＰ電話機２００は、このＬＡＮを介してインターネットに接続されている。
【００４８】
ＩＰ電話機２００は、マイクロフォン２０２およびスピーカ（レシーバ）２０３を備えたハンドセット部と、キーパッド２０４と、液晶ディスプレイ２０５とを備えている。
【００４９】
一方、ＵＳＢハンドセット３００は、図２に示されたＵＳＢハンドセット１００と同様に、ＵＳＢ上位機器に接続されたときにＵＳＢ上位機器のＨＩＤとして機能可能な、マイクロフォン３０２およびスピーカ（レシーバ）３０３と、キーパッド３０４と、液晶ディスプレイ３０５とを備えている。尚、ＵＳＢハンドセット３００の電源は、ＵＳＢインターフェース３０６を介して接続されたＵＳＢ上位機器から供給される。ＵＳＢハンドセット３００はさらに、Bluetooth（登録商標）インターフェースを備えている。
【００５０】
ヘッドセット５００は、ＵＳＢハンドセット３００のＨＩＤとしての送受話部（マイクロフォンとスピーカ（レシーバ））を備えている。ヘッドセット５００は、ＵＳＢハンドセット３００に対してBluetooth接続される。
【００５１】
本電話システムにおいて、ＩＰ電話機２００は、ＵＳＢインターフェース２０６を備え、かつ、ＵＳＢインターフェース２０６を介して接続されたＵＳＢハンドセット３００をネットワーク上で識別するための、ＵＳＢハンドセット用のＭＡＣアドレスを電話機メモリ２２０に予め記憶していると共に、ＵＳＢハンドセット用のＩＰアドレスをネットワークから取得して更新可能に電話機メモリ２２０に記憶するように構成されている。さらに、ＩＰ電話機２００は、ＵＳＢハンドセット用のオペレーティングシステムをも、電話機メモリ２２０に予め記憶している。このオペレーティングシステムは、ＵＳＢハンドセット３００がＩＰ電話機として動作するためのプログラムソフトウエアである。
【００５２】
そして、ＩＰ電話機２００は、ＵＳＢインターフェース２０６を介してＵＳＢハンドセット３００が接続されると、ＵＳＢハンドセット３００に対し、ＭＡＣアドレスおよび最新のＩＰアドレスと、オペレーティングシステムとを供給する。
【００５３】
一方、ＵＳＢハンドセット３００は、ＩＰ電話機２００から受け取ったＭＡＣアドレスおよびＩＰアドレスを、ハンドセットメモリ３２０に記憶する（割り当てられる）。これと共に、ＩＰ電話機２００から受け取ったオペレーティングシステムをハンドセットメモリ３２０にインストールする。ＵＳＢハンドセット３００は、図示はしないが、ＣＰＵを備えている。このＣＰＵがオペレーティングシステムにしたがって演算を実行することにより、ＵＳＢハンドセット３００は、ＭＡＣアドレスおよびＩＰアドレスを利用しつつ、ＩＰ電話機２００とは独立して、ＩＰ電話機２００およびネットワークを通じてインターネット電話通信を実行する。
【００５４】
以上の構成により、本電話システムは、ＩＰ電話機２００とＵＳＢハンドセット３００とで個別に、さらに、必要に応じて２台同時に、互いに異なる通話相手とインターネット電話通信を実行することができる。
【００５５】
尚、ＵＳＢハンドセット３００によるインターネット電話通信の際には、ヘッドセット５００のマイクロフォンによって音声情報が入力される一方、スピーカによって音声情報が出力される。
【００５６】
本実施例においては、ヘッドセットとして、図４に示されたヘッドセット５００のような形態の他にも、同じく図４に示された携帯情報端末５００’のような形態であってもよい。携帯情報端末５００’も、ＵＳＢハンドセット３００のＨＩＤとしての送受話部（マイクロフォンとスピーカ（レシーバ））を備えている。携帯情報端末５００’はさらに、ＵＳＢハンドセット３００のＨＩＤとして、キーパッドおよびディスプレイ（タッチパネル式ディスプレイ）をも備えている。これにより、電話番号の入力や確認が携帯情報端末５００’を介して行われる。
【産業上の利用可能性】
【００５７】
以上、実施例を参照して本発明を説明したが、本発明の構成や詳細については、当業者が理解し得る様々な変更を加えることができる。
【符号の説明】
【００５８】
１００、３００、６００    ＵＳＢハンドセット
１０２、３０２、６０２    マイクロフォン
１０３、３０３、６０３    スピーカ（レシーバ）
１０４、３０４、６０４    キーパッド
１０５、３０５、６０５    液晶ディスプレイ
１０６、３０６    ＵＳＢインターフェース
１２０    ハンドセットメモリ
２００    ＩＰ電話機
２０２    マイクロフォン
２０３    スピーカ（レシーバ）
２０４    キーパッド
２０５    液晶ディスプレイ
２０６    ＵＳＢインターフェース
２２０    電話機メモリ
５００    ヘッドセット
５００’  携帯情報端末
７００    パーソナルコンピュータ
【図１】
0005511032.tif 000002
【図２】
0005511032.tif 000003
【図３】
0005511032.tif 000004
【図４】
0005511032.tif 000005